(57)【要約】【課題】本発明の課題は、側面フレームと前面フレームとの位置関係を確実に維持することができる歩行器を提供することである。【解決手段】本発明に係る歩行器１００は、一対の側面フレーム２００Ｌおよび側面フレーム２００Ｒと、一対の側面フレーム２００Ｌおよび側面フレーム２００Ｒの前方に配置され、一対の側面フレーム２００Ｌおよび側面フレーム２００Ｒが回動可能にそれぞれ連結される前面フレーム３００と、一対の側面フレーム側面フレーム２００Ｌおよび側面フレーム２００Ｒの個々と、前面フレーム３００とを接続する固定部４００Ｌおよび固定部４００Ｒとを備える。【選択図】図１
2012010801.tif 000002
【特許請求の範囲】
【請求項１】
一対の側面フレームと、
前記一対の側面フレームの前方に配置され、前記一対の側面フレームが回動可能にそれぞれ連結される前面フレームと、
前記一対の側面フレームの個々と、前記前面フレームとを接続する固定部とを備えることを特徴とする歩行器。
【請求項２】
前記固定部は、前記側面フレームおよび前記前面フレームの少なくとも一方において着脱可能な着脱部を有することを特徴とする請求項１に記載の歩行器。
【請求項３】
前記前面フレームは、前記一対の側面フレームの間隔を調整する調整部を有し、
前記調整部は、前記固定部が接続された状態で、前記一対の側面フレームの間隔を調整し、
前記固定部は、前記一対の側面フレームにそれぞれ設置されることを特徴とする請求項１または２に記載の歩行器。
【請求項４】
前記各固定部は、前記側面フレームの中央よりも前方に取り付けられ、かつ、前記前面フレームに着脱可能に取り付けられることを特徴とする請求項３に記載の歩行器。
【請求項５】
前記着脱部は、前記側面フレームおよび前記前面フレームの少なくとも一方と嵌合する嵌合部を有することを特徴とする請求項２〜４のいずれか１項に記載の歩行器。
【発明の詳細な説明】
【技術分野】
【０００１】
本発明は、高齢者などの歩行が困難な人の歩行を補助するための歩行器に関する。
【背景技術】
【０００２】
従来から、高齢者などの歩行が困難な人の歩行を補助するための歩行器に関する研究開発が日々行われている。例えば、特許文献１には、連結手段の長さ調節手段により、左右の脚フレーム間の間隔を調節できるので、使用者の体格にあった歩行補助具にすることができる歩行補助具について開示されている。
【０００３】
特許文献１に記載の歩行補助具においては、上下方向に延びる前後２本の脚部の上端部がハンドルによって連結された左右一対の脚フレームと、これら脚フレームを、脚フレームの前部において左右に連結する連結手段を有する歩行補助具であって、上記連結手段に、脚フレーム間の間隔を調節する長さ調節手段が設けられたものである。
【先行技術文献】
【特許文献】
【０００４】
【特許文献１】特開２０１０−１７４４１号公報
【発明の概要】
【発明が解決しようとする課題】
【０００５】
この特許文献１に記載の歩行補助具は、収納しやすいように折り畳み可能である。この歩行補助具は、一対の脚フレームと、一対の脚フレームが回動可能にそれぞれ連結されたアーム部と、一対の脚フレームを連結する連結手段とを備える。この連結手段は、一対の脚フレーム間の距離を維持することができるが、脚フレームとアーム部との位置関係を確実に維持することができない。そのため、ユーザが歩行器を使用して歩行するとき、脚フレームとアーム部との位置関係がずれることにより、歩行器の安定性が低減するおそれがあった。
【０００６】
本発明の目的は、側面フレームと前面フレームとの位置関係を確実に維持することができる歩行器を提供することである。
【課題を解決するための手段】
【０００７】
（１）
一局面に係る歩行器は、一対の側面フレームと、一対の側面フレームの前方に配置され、一対の側面フレームが回動可能にそれぞれ連結される前面フレームと、一対の側面フレームの個々と、前面フレームとを接続する固定部とを備えるものである。
【０００８】
固定部は、一対の側面フレームのうち一の側面フレームと、前面フレームとを接続し、他の側面フレームと、前面フレームとを接続する。これにより、ユーザが歩行器を使用して歩行するとき、固定部は側面フレームと前面フレームとの位置関係を確実に維持する。その結果、ユーザに対して安心感を与えることができる。また、側面フレームと前面フレームとが回動可能な歩行器であっても、固定部は確実に回動部分のがたつきを防止することができる。
【０００９】
（２）
歩行器において、固定部は、側面フレームおよび前面フレームの少なくとも一方において着脱可能な着脱部を有する。
【００１０】
この歩行器では、側面フレームおよび前面フレームの少なくとも一方において着脱可能な着脱部を有する。側面フレームを回動させる前に、固定部は着脱部によって側面フレームまたは前面フレームから取り外すことができる。そのため、固定部は、側面フレームの回動にあわせて伸縮させる必要がない。これにより、固定部は、伸縮可能な構造を省略できる。その結果、固定部は、簡易な構造で実現できる。
【００１１】
（３）
歩行器において、前面フレームは、一対の側面フレームの間隔を調整する調整部を有し、調整部は、固定部が接続された状態で、一対の側面フレームの間隔を調整し、固定部は、一対の側面フレームにそれぞれ設置される。
【００１２】
この歩行器では、固定部は、一対の側面フレームにそれぞれ設置される。また、固定部が接続された状態で、調整部が一対の側面フレームの間隔を調整する。これにより、歩行器は、一対の側面フレームの間隔を調整する際に、固定部の調整を省略することができる。その結果、歩行器は、一対の側面フレームの間隔を容易に調整することができる。
【００１３】
（４）
歩行器において、各固定部は、側面フレームの中央よりも前方に取り付けられ、かつ、前面フレームに着脱可能に取り付けられる。
【００１４】
この歩行器では、各固定部は、側面フレームの中央よりも前方に取り付けられる。また、各固定部は、前面フレームに着脱可能に取り付けられる。これにより、一方の固定部は、他方の固定部と接触しない。その結果、側面フレームは、固定部に阻害されることなく、回動することができる。
【００１５】
（５）
歩行器において、着脱部は、側面フレームおよび前面フレームの少なくとも一方と嵌合する嵌合部を有する。
【００１６】
この歩行器では、嵌合部が側面フレームおよび前面フレームの少なくとも一方と嵌合する。これにより、固定部は、定位置で側面フレームまたは前面フレームに取り付けられる。
【発明の効果】
【００１７】
本発明に係る歩行器によれば、側面フレームと前面フレームとの位置関係を確実に維持することができる。
【図面の簡単な説明】
【００１８】
【図１】本発明の一実施形態に係る歩行器の斜視図である。
【図２】図１に示した歩行器の正面図である。
【図３】図１に示した歩行器の側面図である。
【図４】図１に示した歩行器の上面図である。
【図５】図１に示した歩行器の前面フレームの正面図である。
【図６】図５に示した前面フレームの背面図である。
【図７】図２のＡ−Ａ線断面図である。
【図８】図５に示した前面フレームを前方から見た分解斜視図である。
【図９】図５に示した前面フレームを後方から見た分解斜視図である。
【図１０】図５に示した前面フレームの分解側面図である。
【図１１】図５に示した前面フレームの分解上面図である。
【図１２】図１に示した歩行器の折り畳み動作を説明するための斜視図である。
【図１３】図１に示した歩行器の折り畳み動作を説明するための正面図である。
【図１４】図１に示した歩行器の折り畳み動作を説明するための斜視図である。
【図１５】図１に示した歩行器の折り畳み動作を説明するための正面図である。
【図１６】図１に示した歩行器の折り畳み動作を説明するための上面図である。
【図１７】図１に示した歩行器が折り畳まれた状態を右前方から見た斜視図である。
【図１８】図１に示した歩行器が折り畳まれた状態を左前方から見た斜視図である。
【図１９】図１に示した歩行器が折り畳まれた状態の正面図である。
【図２０】図１に示した歩行器が折り畳まれた状態の側面図である。
【図２１】図１に示した歩行器が折り畳まれた状態の上面図である。
【図２２】図５に示した前面フレームのスライド動作を説明するための背面図である。
【図２３】図１に示した歩行器の幅調整を説明するための正面図である。
【図２４】図５に示した前面フレームのスライド動作を説明するための背面図である。
【図２５】図１に示した歩行器の幅調整を説明するための正面図である。
【図２６】本発明の変形例に係る歩行器の上面図である。
【図２７】本発明の変形例に係る歩行器の側面図である。
【図２８】本発明の変形例に係る歩行器の側面図である。
【図２９】本発明の変形例に係る歩行器の斜視図である。
【図３０】本発明の変形例に係る歩行器の斜視図である。
【図３１】本発明の変形例に係る歩行器の正面図である。
【発明を実施するための形態】
【００１９】
＜歩行器の全体構成＞
本実施形態に係る歩行器は、高齢者などの歩行が困難な人（以下、「ユーザ」という）の歩行を補助するための歩行器である。また、この歩行器は、使用時に展開することができ、かつ、不使用時に折り畳むことができる歩行器である。図１に示すように、本実施形態に係る歩行器１００は、一対の側面フレーム２００Ｌおよび側面フレーム２００Ｒと、前面フレーム３００と、一対の固定部４００Ｌおよび固定部４００Ｒとを備える。
以下、歩行器１００の詳細を説明する。
【００２０】
＜側面フレーム＞
図１に示すように、側面フレーム２００Ｌは、前面フレーム３００の左側（矢印Ｘ１の方向側）に配置され、側面フレーム２００Ｒは、前面フレーム３００の右側（矢印Ｘ２の方向側）に配置される。
【００２１】
図１〜４に示すように、側面フレーム２００Ｒは、上下方向（矢印Ｚ１の方向および矢印Ｚ２の方向）に延びる前脚部２１０および後脚部２２０と、前脚部２１０の上端と後脚部２２０の上端とを水平に繋ぐ第１ハンドル２３０とを有する（図１、３参照）。後脚部２２０は、前脚部２１０よりも後方（矢印Ｙ２の方向）に配置される（図２、４参照）。前脚部２１０、後脚部２２０および第１ハンドル２３０は、側面視において、逆Ｕ字状となる（図３参照）。
側面フレーム２００Ｌは、側面フレーム２００Ｒと同様に、上下方向（矢印Ｚ１の方向および矢印Ｚ２の方向）に延びる前脚部２１０および後脚部２２０と、前脚部２１０の上端と後脚部２２０の上端とを水平に繋ぐ第１ハンドル２３０とを有する。後脚部２２０は、前脚部２１０よりも後方（矢印Ｙ２の方向）に配置される。
【００２２】
また、側面フレーム２００Ｒは、前脚部２１０と後脚部２２０とを繋ぎ、第１ハンドル２３０と平行となるように形成された第２ハンドル２４０を有する（図１、３参照）。第２ハンドル２４０は、側面フレーム２００Ｒの上下方向（矢印Ｚ１の方向および矢印Ｚ２の方向）における中間近傍の位置に配置される。
側面フレーム２００Ｌは、側面フレーム２００Ｒと同様に、前脚部２１０と後脚部２２０とを繋ぎ、第１ハンドル２３０と平行となるように形成された第２ハンドル２４０を有する。第２ハンドル２４０は、側面フレーム２００Ｒの上下方向（矢印Ｚ１の方向および矢印Ｚ２の方向）における中間近傍の位置に配置される。
【００２３】
また、側面フレーム２００Ｒは、固定部４００が取り付けられる取付部２５０を有する（図１、３参照）。取付部２５０は、前脚部２１０と後脚部２２０とを繋ぎ、第１ハンドル２３０および第２ハンドル２４０と平行となるように形成される。取付部２５０は、上下方向（矢印Ｚ１の方向および矢印Ｚ２の方向）において、第１ハンドル２３０と第２ハンドル２４０との間に配置される。
側面フレーム２００Ｌは、側面フレーム２００Ｒと同様に、固定部４００が取り付けられる取付部２５０を有する。取付部２５０は、前脚部２１０と後脚部２２０とを繋ぎ、第１ハンドル２３０および第２ハンドル２４０と平行となるように形成される。取付部２５０は、上下方向（矢印Ｚ１の方向および矢印Ｚ２の方向）において、第１ハンドル２３０と第２ハンドル２４０との間に配置される。
【００２４】
側面フレーム２００Ｌおよび側面フレーム２００Ｒの前脚部２１０の下端には、第１ハンドル２３０および第２ハンドル２４０の高さを段階的に調整するための脚先部２１１が設けられる（図１、２参照）。脚先部２１１は、筒状の前脚部２１０の下端を覆うようにして筒状に形成される。これにより、脚先部２１１と前脚部２１０とは、二重筒の構造となる。この二重筒の構造により、脚先部２１１は、前脚部２１０に沿って、上下方向（矢印Ｚ１の方向および矢印Ｚ２の方向）にスライドさせることができる。
【００２５】
側面フレーム２００Ｌおよび側面フレーム２００Ｒの後脚部２２０の下端には、脚先部２１１と同様に、第１ハンドル２３０および第２ハンドル２４０の高さを段階的に調整するための脚先部２２１が設けられる（図１、３参照）。脚先部２２１は、筒状の後脚部２２０の下端を覆うようにして筒状に形成される。これにより、脚先部２２１は、後脚部２２０に沿って、上下方向（矢印Ｚ１の方向および矢印Ｚ２の方向）にスライドさせることができる。前脚部２１０、脚先部２１１、後脚部２２０、脚先部２２１、第１ハンドル２３０、第２ハンドル２４０および取付部２５０は、アルミニウムまたはステンレス等の金属製パイプからなる。
【００２６】
側面フレーム２００Ｌおよび側面フレーム２００Ｒの脚先部２１１の下端には、ユーザが歩行しているときに歩行器１００が滑ることを防止するために、脚先ゴム２１２が設けられる（図１参照）。側面フレーム２００Ｌおよび側面フレーム２００Ｒの脚先部２２１の下端には、脚先部２１１と同様に、脚先ゴム２２２が設けられる。
【００２７】
第１ハンドル２３０には、ユーザが歩行するときに握るためのグリップ２３１が設けられる（図１、３参照）。第２ハンドル２４０には、ユーザが座るときに、またはユーザが立ち上がるときに握るための握り部２４１が設けられる。側面フレーム２００Ｌに設けられた握り部２４１は、左側（矢印Ｘ１の方向側）へ延びた延出部２４２を有する（図１、２参照）。ユーザは、延出部２４２に指をひっかけることにより、握り部２４１をより確実に握ることができる。これにより、ユーザは、歩行器１００を使用して立ち上がるときに、または歩行器１００を使用して座るときに、身体をより安定させることができる。側面フレーム２００Ｒに設けられた握り部２４１は、側面フレーム２００Ｌに設けられた握り部２４１と同様に、右側（矢印Ｘ２の方向側）へ延びた延出部２４２を有する。グリップ２３１および握り部２４１は、ユーザが握っているときに滑りにくいように合成樹脂またはゴムからなる。
【００２８】
＜前面フレーム＞
図１〜４に示すように、前面フレーム３００は、一対の連結部３１０Ｌおよび連結部３１０Ｒと、一対の設置部３２０Ｌおよび３２０Ｒと、調整部３３０とを有する（図１、２参照）。正面視において、調整部３３０は、前面フレーム３００の中央に配置される（図２参照）。また、正面視において、連結部３１０Ｌは、調整部３３０の左側（矢印Ｘ１の方向側）に配置され、連結部３１０Ｒは、調整部３３０の右側（矢印Ｘ２の方向側）に配置される（図２参照）。また、正面視において、設置部３２０Ｌは、連結部３１０Ｌと調整部３３０との間に配置され、設置部３２０Ｒは、連結部３１０Ｒと調整部３３０との間に配置される（図２参照）。
【００２９】
連結部３１０Ｌは、側面フレーム２００Ｌの前脚部２１０の一部を覆うようにして、筒状に形成される（図１参照）。これにより、連結部３１０Ｌと前脚部２１０とは、二重筒の構造となる。この二重筒の構造により、側面フレーム２００Ｌは回動可能となるように前面フレーム３００に連結される。
連結部３１０Ｒは、連結部３１０Ｌと同様に、側面フレーム２００Ｒの前脚部２１０の一部を覆うようにして、筒状に形成される。これにより、連結部３１０Ｒと前脚部２１０とは、二重筒の構造となる。この二重筒の構造により、側面フレーム２００Ｒは回動可能となるように前面フレーム３００に連結される。
【００３０】
設置部３２０Ｌは、後述する固定部４００Ｌの着脱部４１０が着脱可能に取り付けられる（図１、３参照）。また、ユーザが歩行器１００を使用して歩行しているときに着脱部４１０が外れないように、設置部３２０Ｌは、取り付けられた着脱部４１０を確実に保持することができる形状である。具体的には、設置部３２０Ｌは、側面視において、凹形状である着脱部４１０に嵌まる凸形状である（図３参照）。また、設置部３２０Ｌは、後述する着脱部４１０の孔部４１２Ｌと嵌合するための突起部３２１を有する（図１、４参照）。
【００３１】
設置部３２０Ｒは、設置部３２０Ｌと同様に、固定部４００Ｒの着脱部４１０が着脱可能に取り付けられる。また、ユーザが歩行器１００を使用して歩行しているときに着脱部４１０が外れないように、設置部３２０Ｒは、取り付けられた着脱部４１０を確実に保持することができる形状である。具体的には、設置部３２０Ｒは、側面視において、凹形状である着脱部４１０に嵌まる凸形状である。また、設置部３２０Ｒは、後述する着脱部４１０の孔部４１２Ｒと嵌合するための突起部３２１を有する。
【００３２】
＜固定部＞
図１〜４に示すように、固定部４００Ｒは、側面フレーム２００Ｒと、前面フレーム３００とを接続する（図１、４参照）。具体的に、固定部４００Ｒは、回動可能となるように側面フレーム２００Ｒに取り付けられ、着脱可能となるように前面フレーム３００に取り付けられる。固定部４００Ｒが側面フレーム２００Ｒと前面フレーム３００とを接続しているとき、固定部４００Ｒは、側面フレーム２００Ｒと前面フレーム３００との距離を固定し、かつ、側面フレーム２００Ｒと前面フレーム３００とがなす角度を固定する。すなわち、固定部４００Ｒは、側面フレーム２００Ｒと前面フレーム３００との位置関係を固定する。
固定部４００Ｌは、固定部４００Ｒと同様に、側面フレーム２００Ｌと、前面フレーム３００とを接続する。具体的に、固定部４００Ｌは、回動可能となるように側面フレーム２００Ｌに取り付けられ、着脱可能となるように前面フレーム３００に取り付けられる。固定部４００Ｌが側面フレーム２００Ｌと前面フレーム３００とを接続しているとき、固定部４００Ｌは、側面フレーム２００Ｌと前面フレーム３００との位置関係を固定する。
【００３３】
固定部４００Ｒは、前面フレーム３００の設置部３２０Ｒに着脱可能に取り付けられるための着脱部４１０と、取付部２５０に回動可能に取り付けられる回動部４１１とを有する（図１、３参照）。着脱部４１０は、前面フレーム３００の突起部３２１と嵌合する嵌合部である孔部４１２Ｒを有する。回動部４１１は、取付部２５０の中央よりも前方（矢印Ｙ１の方向）に配置される。
固定部４００Ｌは、固定部４００Ｒと同様に、前面フレーム３００の設置部３２０Ｌに着脱可能に取り付けられるための着脱部４１０と、取付部２５０に回動可能に取り付けられる回動部４１１とを有する。着脱部４１０は、前面フレーム３００の突起部３２１と嵌合する嵌合部である孔部４１２Ｌを有する。回動部４１１は、取付部２５０の中央よりも前方（矢印Ｙ１の方向）に配置される。
【００３４】
＜調整部＞
図５〜１１に示すように、調整部３３０は、第１スライド部材３３１と、第２スライド部材３３２と、保持部３３３と、ノブナット３３４と、板材３３５とを有する（図５、６参照）。
第１スライド部材３３１は、第２スライド部材３３２と接する面に、幅方向（矢印Ｘ１の方向および矢印Ｘ２の方向）に沿って形成された凹溝３３６を有する（図７、９参照）。また、第１スライド部材３３１は、前後方向（矢印Ｙ１の方向および矢印Ｙ２の方向）に貫通した２つの貫通孔３３７Ｌおよび貫通孔３３７Ｒとを有する（図８参照）。貫通孔３３７Ｌは、貫通孔３３７Ｒの左側（矢印Ｘ１の方向側）に形成される。
【００３５】
第２スライド部材３３２は、第１スライド部材３３１と接する面に、幅方向（矢印Ｘ１の方向および矢印Ｘ２の方向）に沿って形成される凸溝３３８を有する（図７、８参照）。凸溝３３８は、第１スライド部材３３１の凹溝３３６と嵌合する形状に形成される。また、第２スライド部材３３２は、前後方向（矢印Ｙ１の方向および矢印Ｙ２の方向）に貫通し、幅方向（矢印Ｘ１の方向および矢印Ｘ２の方向）に沿って延びるように形成される長孔３３９を有する（図６、８参照）。第１スライド部材３３１および第２スライド部材３３２は、中空の部材で形成される（図７参照）。これにより、第１スライド部材３３１および第２スライド部材３３２が軽量化されるので、調整部３３０は容易にスライドさせることができる。
【００３６】
保持部３３３は、幅方向（矢印Ｘ１の方向および矢印Ｘ２の方向）に沿って並んで形成されるネジ３４０およびガイド部材３４１を有する（図９、１１参照）。ネジ３４０とガイド部材３４１との幅が貫通孔３３７Ｌと貫通孔３３７Ｒとの幅と同じとなるように、ネジ３４０とガイド部材３４１とが配置される。
【００３７】
ノブナット３３４は、ユーザが回転させやすい形状に形成される（図６、９参照）。ノブナット３３４は、ネジ３４０に取り付けられる。板材３３５は、滑りにくい材質からなり、幅方向（矢印Ｘ１の方向および矢印Ｘ２の方向）に沿って並んで形成される２つの孔３４２Ｌおよび孔３４２Ｒを有する（図８、９参照）。孔３４２Ｌは、孔３４２Ｒの左側（矢印Ｘ１の方向）に配置される。孔３４２Ｌと孔３４２Ｒとの幅が貫通孔３３７Ｌと貫通孔３３７Ｒとの幅と同じとなるように、孔３４２Ｌと孔３４２Ｒとが配置される。
【００３８】
＜調整部の組立＞
図８〜１１に示すように、保持部３３３が、第１スライド部材３３１、第２スライド部材３３２および板材３３５に取り付けられる（図８、９参照）。このとき、ネジ３４０は、第１スライド部材３３１の貫通孔３３７Ｌ、第２スライド部材３３２の長孔３３９、および板材３３５の孔３４２Ｌの順で貫通する。また、ガイド部材３４１は、第１スライド部材３３１の貫通孔３３７Ｒ、第２スライド部材３３２の長孔３３９、および板材３３５の孔３４２Ｒの順で貫通する。保持部３３３の取り付けの後、ネジ３４０とノブナット３３４とが締結される。これにより、調整部３３０は、組み立てられた状態となる。
【００３９】
図５〜図７に示すように、組み立てられた調整部３３０では、ノブナット３３４は、板材３３５を介して第２スライド部材３３２と接している（図６参照）。板材３３５は、ユーザが歩行器１００を使用して歩行するとき、ノブナット３３４が滑って調整部３３０がスライドすることで、調整部３３０がスライドすることを防止する。
【００４０】
＜調整部のスライド＞
図５〜図１１に示すように、調整部３３０をスライドさせるとき、ノブナット３３４を回転させて、ノブナット３３４とネジ３４０との締結を緩める（図６参照）。次に、第１スライド部材３３１を、第２スライド部材３３２に対して、幅方向（矢印Ｘ１の方向および矢印Ｘ２の方向）にスライドさせる（図５、６参照）。第１スライド部材３３１がスライドするとき、ネジ３４０およびガイド部材３４１が長孔３３９に沿ってスライドすると共に、凹溝３３６が凸溝３３８に沿ってスライドする（図８、９参照）。ネジ３４０およびガイド部材３４１がスライドし、かつ、凹溝３３６がスライドすることで、第１スライド部材３３１は、幅方向（矢印Ｘ１の方向および矢印Ｘ２の方向）に確実にスライドすることができる。
【００４１】
第１スライド部材３３１をスライドさせて前面フレーム３００を任意の長さに調整した後、ノブナット３３４を回転させて、ノブナット３３４とネジ３４０とを締結させる。これにより、調整部３３０は、前面フレーム３００の幅方向（矢印Ｘ１の方向および矢印Ｘ２の方向）の長さを、任意の長さに調整することができる。
【００４２】
＜歩行器の折り畳み動作＞
図１２〜２１を参照して、本実施形態の歩行器１００の折り畳む手順について説明する。本実施形態の歩行器１００は、不使用時に折り畳むことが可能である。
【００４３】
図１２、１３に示すように、ユーザは、固定部４００Ｌを矢印Ｌ１の方向に回動させて、設置部３２０Ｌから着脱部４１０を取り外す。これにより、固定部４００Ｌは前面フレーム３００から取り外される。同様に、ユーザは、固定部４００Ｒを矢印Ｒ１の方向に回動させて、設置部３２０Ｒから着脱部４１０を取り外す。これにより、固定部４００Ｒは前面フレーム３００から取り外される。次に、ユーザは、側面フレーム２００Ｌを矢印Ｌ２の方向に回動させて折り畳む。
【００４４】
図１４〜１６に示すように、折り畳まれた側面フレーム２００Ｌは、前面フレーム３００の近傍に配置される（図１４、１６参照）。側面フレーム２００Ｌを折り畳んだ後、ユーザは、側面フレーム２００Ｒを矢印Ｒ２の方向に回動させて折り畳む（図１４、１６参照）。これにより、歩行器１００は、折り畳まれた状態となる。側面フレーム２００Ｒを折り畳むとき、固定部４００Ｒは、固定部４００Ｌと接触しない（図１４、１５、１６参照）。これにより、側面フレーム２００Ｒは、固定部４００Ｌおよび固定部４００Ｒに阻害されることなく、回動することができる。
【００４５】
図１７〜２１に示すように、上記の手順で折り畳まれた歩行器１００では、側面フレーム２００Ｌおよび側面フレーム２００Ｒが前面フレーム３００の近傍に配置される。これにより、コンパクトに折り畳まれた歩行器１００は、持ち運びしやすく、かつ、収納しやすい。
【００４６】
なお、歩行器１００を展開させるときは、上記の歩行器１００を折り畳む手順とは逆の手順で行う。具体的には、ユーザは、側面フレーム２００Ｒを矢印Ｒ２の方向と反対の方向に回動させて展開した後、側面フレーム２００Ｒを矢印Ｌ２の方向と反対の方向に回動させて展開する。次に、ユーザは、固定部４００Ｒを矢印Ｒ１の方向と反対の方向に回動させて、固定部４００Ｒを前面フレーム３００に取り付ける。同様に、ユーザは、固定部４００Ｌを矢印Ｌ１の方向と反対の方向に回動させて、固定部４００Ｌを前面フレーム３００に取り付ける。これにより、歩行器１００は、展開された状態となる。
【００４７】
＜歩行器の幅調整＞
図２２〜２５を参照して、歩行器１００の幅調整、すなわち、側面フレーム２００Ｌと側面フレーム２００Ｒとの幅方向（矢印Ｘ１の方向および矢印Ｘ２の方向）の長さを調整する手順について説明する。本実施形態の歩行器１００は、ユーザの体格に応じて幅調整が可能である。以下、歩行器１００の幅を広げる手順について説明する。
【００４８】
図２２に示すように、ユーザは、前面フレーム３００のノブナット３３４を矢印Ｌ３方向に回転させて、ネジ３４０とノブナット３３４との締結を緩める。
次に、図２３に示すように、ユーザは、第１スライド部材３３１は、第２スライド部材３３２に沿って右方向（矢印Ｘ２の方向、白抜き矢印の方向）に任意の位置までスライドさせる。
さらに、図２４に示すように、ユーザは、前面フレーム３００のノブナット３３４を矢印Ｒ３方向に回転させて、ネジ３４０とノブナット３３４とを締結する。
図２５に示すように、第１スライド部材３３１をスライドさせた歩行器１００は、幅方向（矢印Ｘ１の方向および矢印Ｘ２の方向）に広くなる。
なお、歩行器１００を幅方向（矢印Ｘ１の方向および矢印Ｘ２の方向）に狭くする場合、ユーザは、第１スライド部材３３１を第２スライド部材３３２に沿ってスライドさせる際に、第１スライド部材３３１を左方向（矢印Ｘ１の方向）にスライドさせる。
【００４９】
これにより、歩行器１００では、固定部４００Ｌおよび固定部４００Ｒが前面フレーム３００に接続された状態のままで、側面フレーム２００Ｌと側面フレーム２００Ｒとの幅方向（矢印Ｘ１の方向および矢印Ｘ２の方向）の長さを調整することができる。
【００５０】
＜本実施形態における効果＞
以上のように、本実施形態に係る歩行器１００においては、固定部４００Ｌは、側面フレーム２００Ｌと前面フレーム３００とを接続する。また、固定部４００Ｒは、側面フレーム２００Ｒと前面フレーム３００とを接続する。これにより、ユーザが歩行器１００を使用して歩行するとき、固定部４００Ｌおよび固定部４００Ｒは、側面フレーム２００Ｌと前面フレーム３００との位置関係、および側面フレーム２００Ｒと前面フレーム３００との位置関係を確実に維持する。その結果、ユーザに対して安心感を与えることができる。また、側面フレーム２００Ｌおよび側面フレーム２００Ｒと、前面フレーム３００とが回動可能な歩行器１００であっても、固定部４００Ｌおよび固定部４００Ｒは、確実に回動部分のがたつきを防止することができる。
【００５１】
また、本実施形態では、側面フレーム２００Ｌおよび前面フレーム３００の少なくとも一方において着脱可能な着脱部４１０を有する。また、側面フレーム２００Ｒおよび前面フレーム３００の少なくとも一方において着脱可能な着脱部４１０を有する。
側面フレーム２００Ｌを回動させる前に、固定部４００Ｌは着脱部４１０によって側面フレーム２００Ｌまたは前面フレーム３００から取り外すことができる。また、側面フレーム２００Ｒを回動させる前に、固定部４００Ｒは着脱部４１０によって側面フレーム２００Ｒまたは前面フレーム３００から取り外すことができる。
そのため、固定部４００Ｌは、側面フレーム２００Ｌの回動にあわせて伸縮させる必要がない。また、固定部４００Ｒは、側面フレーム２００Ｒの回動にあわせて伸縮させる必要がない。これにより、固定部４００Ｌおよび固定部４００Ｒは、伸縮可能な構造を省略できる。その結果、固定部４００Ｌおよび固定部４００Ｒは、簡易な構造で実現できる。
【００５２】
また、本実施形態では、固定部４００Ｌは側面フレーム２００Ｌに設置され、固定部４００Ｒは側面フレーム２００Ｒに設置される。また、固定部４００Ｌおよび固定部４００Ｒが接続された状態で、調整部３３０が側面フレーム２００Ｌと側面フレーム２００Ｒとの間隔を調整する。これにより、歩行器１００は、側面フレーム２００Ｌと側面フレーム２００Ｒとの間隔を調整する際に、固定部４００Ｌおよび固定部４００Ｒの調整を省略することができる。その結果、歩行器１００は、側面フレーム２００Ｌと側面フレーム２００Ｒとの間隔を容易に調整することができる。
【００５３】
また、本実施形態では、固定部４００Ｌは、側面フレーム２００Ｌの中央よりも前方に取り付けられる。固定部４００Ｒは、側面フレーム２００Ｒの中央よりも前方に取り付けられる。また、固定部４００Ｌおよび固定部４００Ｌは、前面フレーム３００に着脱可能に取り付けられる。これにより、固定部４００Ｌは、固定部４００Ｒと接触しない。その結果、側面フレーム２００Ｌおよび側面フレーム２００Ｒは、固定部４００Ｌおよび固定部４００Ｒに阻害されることなく、回動することができる。
【００５４】
また、本実施形態では、孔部４１２Ｌが側面フレーム２００Ｌおよび前面フレーム３００の少なくとも一方と嵌合する。孔部４１２Ｒが側面フレーム２００Ｒおよび前面フレーム３００の少なくとも一方と嵌合する。これにより、固定部４００Ｌは、定位置で側面フレーム２００Ｌまたは前面フレーム３００に取り付けられる。また、固定部４００Ｒは、定位置で側面フレーム２００Ｒまたは前面フレーム３００に取り付けられる。
【００５５】
＜変形例＞
（Ａ）
図２６に示すように、歩行器１００ａでは、固定部４００Ｒａは、矢印Ｒ４の方向に回動可能となるように回動部材（図示せず）を介して取付部２５０に取り付けられていてもよい。固定部４００Ｒａは、矢印Ｒ４の方向に回動することで設置部３２０Ｒから取り外される。なお、設置部３２０Ｒから取り外された固定部４００Ｒａは、破線で表されている。
固定部４００Ｌａは、固定部４００Ｒａと同様に、回動可能となるように回動部材を介して取付部２５０に取り付けられる。固定部４００Ｌａは、回動することで設置部３２０Ｌから取り外される。
【００５６】
（Ｂ）
図２７に示すように、歩行器１００ｂでは、固定部４００Ｒｂは、側面フレーム２００Ｒの取付部２５０に着脱可能な構造であってもよい。この場合、固定部４００Ｒｂは、矢印Ｒ５の方向に回動可能となるように設置部３２０Ｒｂに取り付けられる。この固定部４００Ｒｂは、矢印Ｒ５の方向に回動することで取付部２５０から取り外される。なお、取付部２５０から取り外された固定部４００Ｒｂは破線で表されている。
固定部４００Ｌｂは、固定部４００Ｒｂと同様に、側面フレーム２００Ｌの取付部２５０に着脱可能な構造である。この場合、固定部４００Ｌｂは、回動可能となるように設置部３２０Ｌｂに取り付けられる。この固定部４００Ｌｂは、回動することで取付部２５０から取り外される。
なお、固定部４００Ｌｂは、取付部２５０および設置部３２０Ｌの両方に着脱可能な構造であってもよい。同様に、固定部４００Ｒｂは、取付部２５０および設置部３２０Ｒの両方に着脱可能な構造であってもよい。
【００５７】
（Ｃ）
図２８に示すように、歩行器１００ｃでは、固定部４００Ｒｃは、第２ハンドル２４０に着脱可能な構造であってもよい。この場合、固定部４００Ｒｃは、矢印Ｒ６の方向に回動可能となるようにして、前脚部２１０に設けられた設置部３２０Ｒｃに取り付けられる。設置部３２０Ｒｃは、連結部３１０Ｌ、連結部３１０Ｒおよび調整部３３０とは別体で形成される。なお、第２ハンドル２４０から取り外された固定部４００Ｒｃは破線で表されている。
固定部４００Ｌｃ（図示せず）は、固定部４００Ｒｃと同様に、第２ハンドル２４０に着脱可能な構造である。この場合、固定部４００Ｌｃは、回動可能となるようにして、前脚部２１０に設けられた設置部３２０Ｌｃ（図示せず）に取り付けられる。設置部３２０Ｌｃは、連結部３１０Ｌ、連結部３１０Ｒおよび調整部３３０とは別体で形成される。
【００５８】
（Ｄ）
図２９に示すように、歩行器１００ｄでは、前面フレーム３００ｄは、一対のパイプ部材３４３Ｌ、パイプ部材３４３Ｒと、一対のスライド部３４４Ｌ、スライド部３４４Ｒと、一対のガイド部３４５Ｌ、ガイド部３４５Ｒとを有する調整部３３０ｄを備えていてもよい。
パイプ部材３４３Ｌとパイプ部材３４３Ｒとは、Ｘ字状に交差して配置される。パイプ部材３４３Ｌとパイプ部材３４３Ｒとは、交わる箇所で回動可能に連結される。パイプ部材３４３Ｒの下方側（矢印Ｚ２の方向側）の端部は、スライド部３４４Ｒに取り付けられる。スライド部３４４Ｒは、スライド可能となるようにして、ガイド部３４５Ｒに取り付けられる。パイプ部材３４３Ｒの上方側（矢印Ｚ１の方向側）の端部は、ガイド部３４５Ｌに取り付けられる。
パイプ部材３４３Ｌの下方側（矢印Ｚ２の方向側）の端部は、スライド部３４４Ｌに取り付けられる。スライド部３４４Ｌは、スライド可能となるようにして、ガイド部３４５Ｌに取り付けられる。パイプ部材３４３Ｌの上方側（矢印Ｚ１の方向側）の端部は、ガイド部３４５Ｒに取り付けられる。
【００５９】
次に、歩行器１００ｄの幅調整について説明する。
図２９に示すように、ユーザは、スライド部３４４Ｌおよびスライド部３４４Ｒを上方（矢印Ｚ１の方向）にスライドさせる。
図３０に示すように、スライド部３４４Ｌおよびスライド部３４４Ｒがスライドしたことにより、パイプ部材３４３Ｌとパイプ部材３４３Ｒとの位置が変化する。これにより、前面フレーム３００は、前面フレーム３００の幅方向（矢印Ｘ１の方向および矢印Ｘ２の方向）の長さが変化する。その結果、側面フレーム２００Ｌが左方向（矢印Ｘ１の方向）に移動し、側面フレーム２００Ｒが右方向（矢印Ｘ２の方向）に移動する。
【００６０】
（Ｅ）
図３１に示すように、歩行器１００ｅの前面フレーム３００ｅでは、調整部３３０が省略されていてもよい。この歩行器１００ｅは、幅調整をすることができないが、調整部３３０を省略したことにより、前面フレーム３００ｅの製造コストを低減させることができる。
【００６１】
（Ｆ）
前面フレーム３００は、幅方向の長さを段階的に調整する構造であってもよい。また、脚先部２２１は、第１ハンドル２３０および第２ハンドル２４０の高さを無段階で調整する構造であってもよい。
【符号の説明】
【００６２】
１００、１００ａ、１００ｂ、１００ｃ、１００ｄ、１００ｅ  歩行器
２００Ｌ、２００Ｒ  側面フレーム
３００、３００ｄ、３００ｅ  前面フレーム
３３０，３３０ｄ  調整部
４００Ｌ、４００Ｌａ、４００Ｌｂ、４００Ｌｃ、４００Ｒ、４００Ｒａ、４００Ｒｂ、４００Ｒｃ、  固定部
４１０  着脱部
４１２Ｌ、４１２Ｒ  孔部（嵌合部）
【図１】
2012010801.tif 000003
【図２】
2012010801.tif 000004
【図３】
2012010801.tif 000005
【図４】
2012010801.tif 000006
【図５】
2012010801.tif 000007
【図６】
2012010801.tif 000008
【図７】
2012010801.tif 000009
【図８】
2012010801.tif 000010
【図９】
2012010801.tif 000011
【図１０】
2012010801.tif 000012
【図１１】
2012010801.tif 000013
【図１２】
2012010801.tif 000014
【図１３】
2012010801.tif 000015
【図１４】
2012010801.tif 000016
【図１５】
2012010801.tif 000017
【図１６】
2012010801.tif 000018
【図１７】
2012010801.tif 000019
【図１８】
2012010801.tif 000020
【図１９】
2012010801.tif 000021
【図２０】
2012010801.tif 000022
【図２１】
2012010801.tif 000023
【図２２】
2012010801.tif 000024
【図２３】
2012010801.tif 000025
【図２４】
2012010801.tif 000026
【図２５】
2012010801.tif 000027
【図２６】
2012010801.tif 000028
【図２７】
2012010801.tif 000029
【図２８】
2012010801.tif 000030
【図２９】
2012010801.tif 000031
【図３０】
2012010801.tif 000032
【図３１】
2012010801.tif 000033